(57)【要約】  本発明の目的は着用者に不快感を与えることなく、長期間連続的かつ安定的に生体信号を検出可能な生体信号検出衣料を提供することにある。本発明の生体信号検出衣料は、ハーフトップ型またはブラジャー型の衣料本体部と、胸囲の寸法調整可能な係止具を有し、前記衣料本体部の下部に配置されるアンダーベルトと、導電性繊維からなる少なくとも２つ以上の電極と、生体信号を検出する測定装置を装着するためのコネクタと、前記電極と前記コネクタとを導通接続する配線部とを具備し、前記電極、前記コネクタ、および前記配線部が前記アンダーベルトに設置されており、前記衣料本体部は、肩部の頂点から前記アンダーベルト上部までの長さが２０．０ｃｍ以上、３５．０ｃｍ以下であり、前記アンダーベルトは２枚重ねの袋状をなし、前身頃の中心に１．０ｃｍ以上１０．０ｃｍ以下の範囲の開口部が設けられていることを特徴とする。
2018047814.tif 000002
【特許請求の範囲】
【請求項１】
ハーフトップ型またはブラジャー型の衣料本体部と、
胸囲の寸法調整可能な係止具を有し、前記衣料本体部の下部に配置されるアンダーベルトと、
導電性繊維からなる少なくとも２つ以上の電極と、
生体信号を検出する測定装置を装着するためのコネクタと、
前記電極と前記コネクタとを導通接続する配線部と、
を具備し、前記電極、前記コネクタ、および前記配線部が前記アンダーベルトに設置されており、前記衣料本体部は、肩部の頂点から前記アンダーベルト上部までの長さが２０．０ｃｍ以上、３５．０ｃｍ以下であり、前記アンダーベルトは２枚重ねの袋状をなし、前身頃の中心に１．０ｃｍ以上１０．０ｃｍ以下の範囲の開口部が設けられていることを特徴とする生体信号検出衣料。
【請求項２】
前記アンダーベルトの幅が６．０ｃｍ以上であることを特徴とする請求項１に記載の生体信号検出衣料。
【請求項３】
前記衣料本体部および前記アンダーベルトは、伸縮性を有する生地で構成され、前記生地のタテまたはヨコ方向の伸び率が３０．０％以上、１００．０％以下であり、かつ伸長回復率が８０．０％以上、１００．０％以下であることを特徴とする請求項１または２に記載の生体信号検出衣料。
【請求項４】
前記衣料本体部の衣服圧が１．０ｋＰａ以下、前記アンダーベルトの衣服圧が０．２ｋＰａ以上、２．５ｋＰａ以下であることを特徴とする請求項１〜３のいずれかに記載の生体信号検出衣料。
【発明の詳細な説明】
【技術分野】
【０００１】
本発明は、心電をはじめとする生体信号を検出するための生体信号検出衣料に関するものである。
【背景技術】
【０００２】
近年、無線電子機器の小型化により無線電子機器を身体に配する技術の検討が盛んに行われており、個人の健康管理の手法の一つとして、長期間にわたって心電、心拍、筋電などの生体信号を検出できる生体信号検出衣料（ウェアラブル電極と表記されることもある）が種々検討されている。【０００３】
具体的には、シャツやパンツなどの衣類において伸縮性を持つ生地の部分に導電性繊維構造物を設置させることで局所的に生体に密着し、生体信号を受信できる衣類（例えば、特許文献１参照）、衣服に対してセンサー、電子機器を配置し、その間に伸縮性の電線が配されている衣類（例えば、特許文献２参照）、電極、トランスミッター、電源が衣服に取り付けられ、洗濯可能な心拍数モニタリング衣料（例えば、特許文献３参照）、着用者の立ち方向に対して横向きの伸張性のあるベルトを有し、そのベルトに心電または皮膚抵抗を測定するためのエラストマー材料を基材とした電極が配置されたボディースーツ（例えば、特許文献４参照）、両肩部の内面に双極子誘導の電極を設け、胸部および胴部などに締め付けるための帯状の織編物を備えた衣類（例えば、特許文献５参照）、横方向に長い下地フィルム上の左右に電極フィルムを重ね、電極−電極間の中心部を絶縁層で更に被覆した電極部をアンダーベルトの内面に配置させ電極フィルムが身体に接触することにより心臓が発する電気信号の情報を取得する電極付ブラジャー（例えば、特許文献６等）が提案されている。
【先行技術文献】
【特許文献】
【０００４】
【特許文献１】特開２０１５−１００６７３号公報
【特許文献２】特開２０１２−１８８７９９号公報
【特許文献３】米国特許第８２２４４１８号公報
【特許文献４】特表２００８−５０３２８７号公報
【特許文献５】特開平６−７０８９６号公報
【特許文献６】意匠登録第１５５２２５３号
【発明の概要】
【発明が解決しようとする課題】
【０００５】
生体信号検出衣料には、生体信号を長期間安定的に検出でき、かつ不快感を与えることのない着用感が求められている。しかしながら、シャツやパンツなどの衣類において伸縮性を持つ生地の部分に導電性繊維構造物を設置させることで局所的に生体に密着し、生体信号を受信できる衣類（特許文献１）や、衣服に対してセンサー、電子機器を配置し、その間に伸縮性の電線が配されている衣類（特許文献２）では、シャツやパンツ型であるため、生地や電線に伸縮性があっても、生体信号を検出しようとするとバストまたはチェストの高さにより電極が身体から浮いてしまうことで生体信号を安定的に検出することが困難となることがある。また、ブラジャーを着用している場合、前記衣類に設置してある電極がブラジャーに重なってしまうことで生体信号を検出することが困難となるという課題がある。【０００６】
また、着用者の立ち方向に対して横向きの伸張性のあるベルトを有し、そのベルトに心電または皮膚抵抗を測定するための、導電粒子が埋め込まれたエラストマーのかたまりである円盤形状の電極が配置されたボディースーツ（特許文献４）や、両肩部の内面に双極子誘導の繊維構造物でない電極を設け、胸部および胴部などに締め付けるための帯状の織編物を備えた衣類（特許文献５）、横方向に長い下地フィルム上の左右に電極フィルムを重ね、電極−電極間の中心部を絶縁層で更に被覆した電極部をアンダーベルトの内面に配置させ電極フィルムが身体に接触することにより心臓が発する電気信号の情報を取得する電極付ブラジャー（特許文献６）では、電極が繊維構造物で構成されていないため、洗濯をすることが困難であり、繰り返し（長期間）着用することが難しく、あるいは着用し続けた際の肌触りが悪くなり不快感を与えるという課題がある。【０００７】
本発明は、上記従来技術に鑑み、不快感を与えることなく、長期間連続的かつ安定的に生体信号を検出可能な生体信号検出衣料を提供することにある。
【課題を解決するための手段】
【０００８】
上述した課題を解決し、目的を達成するために、本発明の生体信号検出衣料は、ハーフトップ型衣料、ブラジャー型の衣料本体部と、胸囲の寸法調整が可能な係止具を有し、前記衣料本体部の下部に配置されるアンダーベルトと、導電性繊維からなる少なくとも２つ以上の電極と、生体信号を検出する測定装置を装着するためのコネクタと、前記電極と前記コネクタとを導通接続する配線部とを具備し、前記電極、前記コネクタ、および前記配線部が前記アンダーベルトに設置されており、前記衣料本体部は、肩部の頂点から前記アンダーベルト上部までの長さが２０．０ｃｍ以上、３５．０ｃｍ以下の長さであることを特徴とする。
【発明の効果】
【０００９】
本発明にかかる生体信号検出衣料は、ハーフトップ型または、ブラジャー型の衣料本体部の下部に配置されるアンダーベルトに、電極、コネクタ、配線部を設置することにより、着用する際に不快感を与えずに、生体信号を長時間連続的かつ安定的に検出することができる。
【図面の簡単な説明】
【００１０】
【図１】図１は、本発明の実施の形態１にかかるハーフトップ型生体信号検出衣料の模式図である。
【図２】図２は、本発明の実施の形態２にかかるブラジャー型生体信号検出衣料の模式図である。
【図３】図３は、図１の生体信号検出衣料のアンダーベルトのＸ−Ｘ’線での断面図である。
【図４】図４は、本発明の実施の形態１にかかるハーフトップ型生体信号検出衣料をブラジャーの上から着用した際の模式図である。
【図５】図５は、本発明の実施の形態１および２にかかるハーフトップ型およびブラジャー型生体信号検出衣料のネックポイントまたはストラップの頂点からアンダーベルト上部までの長さの測定部位を示した模式図である。
【図６】図６は、本発明の実施の形態３にかかる胸部ベルト型（ブラジャー型）生体信号検出衣料の模式図である。
【発明を実施するための形態】
【００１１】
以下に、本発明にかかる生体信号検出衣料を図面に基づいて詳細に説明する。なお、この実施の形態により本発明が限定されるものではない。
【００１２】
図１は、本発明の実施の形態１にかかるハーフトップ型の生体信号検出衣料１００の模式図である。ハーフトップ型の生体信号検出衣料１００とは、前身頃１０４ａと、後身頃１０４ｂとを有する衣料本体部１０４と、アンダーベルト１１４をパーツとして具備している衣料を表す。また、前身頃１０４ａと後身頃１０４ｂとを連結するために、ストラップなどの部材を用いることもある。
また、図２は、本発明の実施の形態２にかかるブラジャー型の生体信号検出衣料２００の模式図であり、ブラジャー型の生体信号検出衣料２００とは、前身頃２０４ａと、ストラップ２０４ｂとを有する衣料本体部２０４と、アンダーベルト１１４をパーツとして具備する衣料を表す。
図１（ａ）および図２（ａ）は正面図（前身頃側）、図１（ｂ）および図２（ｂ）は前身頃の裏面図（肌に接する側）、図１（ｃ）および図２（ｃ）は背面図（後身頃側）である。
なお、以下、ハーフトップ型またはブラジャー型の生体信号検出衣料１００、２００を、生体信号検出衣料１００、２００と記載する場合がある。
【００１３】
図１に示すように、本発明のハーフトップ型生体信号検出衣料１００は、衣料本体部１０４と、衣料本体部１０４の下部に配置されるアンダーベルト１１４と、導電性繊維からなる少なくとも２つ以上の電極１０１ａ、１０１ｂ（１０１）と、生体信号を検出する測定装置１０６を装着するためのコネクタ１０２と、電極１０１ａ、１０１ｂとコネクタ１０２とを導通接続するための配線部１０３ａ、１０３ｂ（１０３）とを具備する。電極１０１ａ、１０１ｂ、コネクタ１０２、および配線部１０３ａ、１０３ｂがアンダーベルト１１４に設置してある。
【００１４】
また、図２に示すように、本発明のブラジャー型生体信号検出衣料２００は、衣料本体部２０４と、衣料本体部２０４の下部に配置されるアンダーベルト１１４と、導電性繊維からなる少なくとも２つ以上の電極１０１ａ、１０１ｂ（１０１）と、生体信号を検出する測定装置１０６を装着するためのコネクタ１０２と、電極１０１ａ、１０１ｂとコネクタ１０２とを導通接続するための配線部１０３ａ、１０３ｂ（１０３）とを具備する。電極１０１ａ、１０１ｂ、コネクタ１０２、および配線部１０３がアンダーベルト１１４に設置してある。
【００１５】
本明細書において設置とは、方法に限定はなく、アンダーベルト１１４と電極１０１ａ、１０１ｂ、アンダーベルト１１４とコネクタ１０２、アンダーベルト１１４と配線部１０３ａ、１０３ｂが接触し、かつ固定されていれば良い。方法の例としては、ホットメルト接着剤を用いた接着でも良いし、糸を用いて縫い合わせる方法でも良いし、金属製ドットボタンを介して固定する方法でも良い。
【００１６】
本発明のハーフトップ型生体信号検出衣料１００、ブラジャー型生体信号検出衣料２００では、生体信号を身体から検出する電極１０１ａ、１０１ｂが、導電性繊維からなる。導電性繊維は、導電性高分子を含浸した繊維構造物であることが好ましく、繊維構造物がマルチフィラメントであり、繊維構造物を構成する単繊維の表面および単繊維間隙に導電性樹脂が担持されていることがさらに好ましい。従来の一般的に心電図の電極に用いられているフィルムタイプの電極では、身体との密着性を高め電気信号を得る為に、アクリル系のジェルを電極表面に塗ることが必須であり、皮膚障害が起こり易いという問題がある。一方、本発明に係る繊維構造物からなる電極１０１ａ、１０１ｂは、皮膚への接触時の刺激性が少なく、安全性が高い。
【００１７】
本発明に係る電極１０１ａ、１０１ｂに用いる導電性高分子は、導電性を有する樹脂であれば特に限定されない。ＰＥＤＯＴ／ＰＳＳなどの導電性高分子やカーボンブラック、ＣＮＴ（Carbon  Nanotube）、金属微粒子などを配合した導電性樹脂組成物などがある。しかし、エラストマー樹脂などの伸縮性を持つ樹脂を用いた場合、伸縮具合により導電性が変化してしまい、安定的に信号を検出することが難しくなるため好ましくない。電極１０１ａ、１０１ｂに用いる導電性高分子は、樹脂そのものが導電性を有する導電性高分子である、チオフェン系導電性高分子のＰＥＤＯＴにポリスチレンスルホン酸（ポリ４−スチレンサルフォネート；ＰＳＳ）をドープしたＰＥＤＯＴ／ＰＳＳが安全性、加工性の観点からより好適である。
【００１８】
電極１０１ａ、１０１ｂに使用する繊維構造物の形態としては、編物、織物および不織布などの布帛状物、および紐状物などが挙げられる。好ましくは、編物、織物が用いられる。また、繊維構造物に含浸させる導電性樹脂の量が不足すると、繰り返し使用での洗濯耐久性が得られなくなるため、繊維構造物の目付けは、５０ｇ／ｍ２以上３００ｇ／ｍ２以下であることが好ましい。５０ｇ／ｍ２より小さいと、導電性樹脂を含む加工液を繊維構造物に塗布した際に、加工液を保持する量が少なくなることで、導電性樹脂の含浸量が少なくなり、洗濯耐久性が得られない。３００ｇ／ｍ２より大きいと実質目付けが大きく、着用感が劣る原因となる。より好ましくは、６０ｇ／ｍ２以上２５０ｇ／ｍ２以下である。
【００１９】
本発明の繊維構造物で用いられる繊維素材としては、ポリエチレンテレフタレート、ポリプロピレンテレフタレートおよびポリブチレンテレフタレートなどからなる繊維や、これらに第三成分を共重合してなる芳香族ポリエステル系繊維、Ｌ−乳酸を主成分とするもので代表される脂肪族ポリエステル系繊維、ナイロン６やナイロン６６などのポリアミド系繊維、ポリアクリロニトリルを主成分とするアクリル系繊維、ポリエチレンやポリプロピレンなどのポリオレフィン系繊維、ポリ塩化ビニル系繊維などの合成繊維などを使用することができる。また、酸化チタン等の添加物を配合した繊維や、吸湿性向上等の機能性付与のためにポリマー改質した繊維も使用してもよい。
【００２０】
本発明に係る繊維構造物は、繊維表面および繊維間の空隙へ導電性樹脂を担持させる観点から、単繊維の繊維径が０．２ｄｔｅｘ以下のマルチフィラメントを含むことが好ましい。０．２ｄｔｅｘ以下の単繊維マルチフィラメントの繊維構造物に占める混率は、性能に影響がない範囲であれば特に限定されないが、混率は高い方が導電性、耐久性の観点から好ましく、より好ましくは５０％以上１００％以下である。さらに、単繊維の本数が多いほど複数の単繊維から構成される空隙、すなわち導電性樹脂が担持される部位が細分化されることで導電性樹脂の繊維構造物への担持性が高くなり、かつ、繊維径が細くなることで細分化されても導電性樹脂の連続性が保持されるため、優れた高導電性および洗濯耐久性が得られるようになる。好ましくは、人工皮革やアウター素材などに用いられる繊維径が５μｍ以下のマイクロファイバーを用いることが好ましく、より好ましくは、繊維径１０ｎｍ以上１０００ｎｍ以下のナノファイバーを用いることがより好ましい。
【００２１】
ナノファイバーとしては、“ナノアロイ（登録商標）”繊維から作製されるナノファイバーステープル糸集合体、エレクトロスピニング方式などにより作製されるモノフィラメント糸の集合体など既知の方法で作製されたナノファイバーを含む繊維構造物が好適に利用できるが、ナノファイバーのマルチフィラメント糸を含む繊維構造物がより好ましい。ナノファイバーのマルチフィラメント糸は既知の複合紡糸方式などにより作製できる。一例としては、特開２０１３−１８５２８３号公報に例示された複合口金を用いた複合繊維を脱海した、繊維径のバラツキが小さいナノファイバーマルチフィラメント糸が有効に利用できるがこれらに限定されるものではない。
【００２２】
また、本発明に使用する電極１０１ａ、１０１ｂは導電性物質を含む繊維構造物の片面に、樹脂層が積層されてなることが好ましい。生体電極への適応を考えると、電極１０１ａ、１０１ｂに用いる繊維構造物の肌と接する面の裏面側に樹脂層が積層されることが好ましい。繊維構造物に導電性樹脂を付与する際に、繊維構造物の片面に、樹脂層が積層されていることで繊維構造物が担持する加工液の量が多くなるため、導電性樹脂の含浸量が多くなり、優れた洗濯耐久性および高導電性を得られるようになる。
【００２３】
樹脂層を構成するポリマーの種類、形状は、湿度コントロールが可能なものであればよく、特に限定されるものではないが、透湿層であることが好ましい。完全に湿気の移動を遮断すると、蒸れ感が強くなり、着用時の不快感に繋がるほか、かぶれなどの原因にも繋がる。透湿層としては、ＰＴＦＥ（ポリテトラフルオロエチレン）多孔膜、親水性のポリエステル樹脂、ポリウレタン樹脂など親水性エラストマーからなる無孔膜、ポリウレタン樹脂微多孔膜など、既知の膜、フィルム、積層物、樹脂などをコーティング、ラミネート方式で積層した形態が挙げられるがこれらに限定されるものではない。基材である繊維構造物への追随性の観点から、透湿層は、伸縮性を有するポリウレタン樹脂微多孔膜をラミネートにより積層接着したものが好ましい。
【００２４】
電極１０１ａ、１０１ｂの大きさや形状については、生体信号が検出できれば特に規定されるものではなく、タテ、ヨコの長さは各２．０ｃｍ以上、２０．０ｃｍ以下であることが好ましい。電極１０１ａ、１０１ｂのタテ、ヨコの長さが各２．０ｃｍより小さいと、電極の面積が小さ過ぎるため、電極と人体の接触面積が小さくなることで接触抵抗が大きくなると共に、運動時などに生地が動く際に電極もずれ易く、ノイズを拾い易くなる。２０．０ｃｍより大きいと実質信号検出に必要のない大きさであると共に、電極の面積が大き過ぎるため、隣接する電極との間隔が小さく、ショートなどトラブルの原因になり易い。より好ましくは、タテ、ヨコの長さが各２．０ｃｍ以上、１８．０ｃｍ以下であることが好ましい。
【００２５】
本発明のハーフトップ型生体信号検出衣料１００、ブラジャー型生体信号検出衣料２００に使用する測定装置１０６は、コネクタ１０２を介して、衣料本体部１０４、２０４に着脱および接続することが好ましい。また、測定装置１０６を衣料本体部１０４、２０４から取り外すことで、洗濯することが可能となる。コネクタ１０２としては、特に限定されるものではなく、一般的にコードの接続に使用されるソケットなどを用いても良いが、測定装置１０６を衣料本体部１０４、２０４に同時に固定することができる複数の金属性ドットボタンを使用することがより好ましい。
【００２６】
測定装置１０６は、モバイル端末やパーソナルコンピュータと通信によりデータを転送する機能を有することが好ましい。本機能により、例えば、パソコン内に簡便にデータを取得、蓄積し、解析することも可能となる。また、測定装置１０６は、無線通信によりモバイル端末やパーソナルコンピュータと通信することが特に好ましい。無線通信により、通信のためにユーザを拘束する必要がなくなる。
【００２７】
本発明のハーフトップ型生体信号検出衣料１００、ブラジャー型生体信号検出衣料２００では、電極１０１ａ、１０１ｂで得た生体信号を測定装置１０６に送信する配線部１０３ａ、１０３ｂが必要となる。配線部１０３ａ、１０３ｂは、衣料本体部１０４、２０４のアンダーベルト１１４に導電性樹脂をプリントする方法や導電性樹脂のフィルムをラミネートする方法、更に導電性を有する繊維や金属線により形成されることが好ましい。
【００２８】
導電性を有する繊維により配線部１０３ａ、１０３ｂを形成する場合、導電性繊維としては、ポリエステルやナイロン繊維を銀、アルミまたはステンレス鋼を含む金属繊維でカバーリングした糸やカーボンブラックをポリエステルやナイロンの芯や鞘の一部に繊維の長さ方向に複合配置した導電性繊維、銀、アルミまたはステンレス鋼を含む金属類をポリエステルやナイロン繊維にコーティングした金属コーティング糸を用いれば良い。耐久性や汎用性の観点からポリエステルやナイロン繊維を銀、アルミまたはステンレス鋼を含む金属繊維でカバーリングした糸を使用することが特に好ましい。
【００２９】
導電性繊維や導電性樹脂のプリント等により形成される配線部１０３ａ、１０３ｂは、アンダーベルト１１４の表面（皮膚に接しない面）に配置するか、もしくはアンダーベルト１１４の裏面（皮膚に接する面）に配置した配線部１０３ａ、１０３ｂを、電気的絶縁性部材１０５を用いて被覆することが好ましい。表面または裏面に配置した配線部１０３ａ、１０３ｂを電気的絶縁性部材１０５で被覆することで、配線部１０３ａ、１０３ｂが皮膚に直接接触せず、電極１０１ａ、１０１ｂが検出した生体信号に配線部１０３ａ、１０３ｂが取得したノイズが混入することがなく、精度よく生体信号を測定することが可能となる。更に、デザイン性の観点からは、アンダーベルト１１４の表面に配線部１０３ａ、１０３ｂを設けると、配線部１０３ａ、１０３ｂまたは電気的絶縁性部材１０５が露出してしまう。配線部１０３ａ、１０３ｂおよび電気的絶縁性部材１０５を露出させないためには、アンダーベルト１１４の裏面に配置した配線部１０３ａ、１０３ｂを電気的絶縁性部材１０５で被覆することが好ましい。
【００３０】
配線部１０３ａ、１０３ｂに使用する導電性繊維を衣料本体部１０４、２０４のアンダーベルト１１４に取り付ける方法としては、導電性繊維を帯状に製織することにより得られた導電性テープからなる配線部１０３ａ、１０３ｂを、ホットメルト接着剤を片面に付与した電気的絶縁性を持つ電気的絶縁性部材１０５とアンダーベルト１１４の生地で挟み込み、熱接着により貼り付けることが好ましい。その他にも、ミシンを用いた縫製において、導電性繊維を下糸に、通常のミシン糸を上糸に用いて、生地の裏面を上に向けて縫製することが可能である。これにより、アンダーベルト１１４の皮膚と密着しない表面側に導電性繊維が主として露出する。更に、導電性繊維の縫い付け方としては、アンダーベルト１１４に導電性繊維を千鳥状に縫い付けることが好ましい。導電性繊維を千鳥状に縫い付けることで、生地の伸縮時も、縫い糸部分が動くことが可能となり、生地に追従するため、ストレッチ性を阻害しない。
【００３１】
本発明のハーフトップ型生体信号検出衣料１００、ブラジャー型生体信号検出衣料２００では、これらの導電性繊維構造物からなる電極１０１ａ、１０１ｂと配線部１０３ａ、１０３ｂとを接続すれば分極を抑制できるため、微弱な生体信号の検出に好ましいだけでなく、腐食（電蝕）も抑制できるため、長期間の連続的利用が可能となる。電極１０１ａ、１０１ｂと配線部１０３ａ、１０３ｂとを接続する方法は、特に限定されるものではないが、アンダーベルト１１４に配置した電極１０１ａ、１０１ｂ上に配線部１０３ａ、１０３ｂを重ねた後、接触部分をミシンを用いて縫い付ける方法や、導電性樹脂をプリントして配線部１０３を形成する際に、電極１０１ａ、１０１ｂに重ねてプリントする方法、導電性樹脂フィルムを用いて配線部１０３ａ、１０３ｂを形成する際に、導電性樹脂フィルムの片面にホットメルト接着剤を付与し、電極１０１ａ、１０１ｂ上に該フィルムを熱圧着して配線部１０３を形成する方法、または、金属性ドットボタンを介して配線部１０３と電極１０１ａ、１０１ｂを接続する方法などが挙げられる。
【００３２】
本発明の配線部１０３ａ、１０３ｂは、電極１０１ａ、１０１ｂから得た生体信号を測定装置１０６に感度良く伝達することが必要とされる。配線部１０３ａ、１０３ｂが生体信号を感度良く伝達できなくなる原因としては、ノイズの混入が考えられ、身体１（図４参照）と配線部１０３ａ、１０３ｂが接触することによる電極設置箇所以外の心電や筋電等の検出、または雨や汗などの水分の接触による生体信号の漏電が挙げられる。上記要因によるノイズを克服するためには、配線部１０３ａ、１０３ｂを防水性の電気的絶縁性部材１０５により被覆することが好ましい。中でも、アンダーベルト１１４の裏面にホットメルト接着剤を付与した防水性の電気的絶縁フィルムである電気的絶縁性部材１０５をアイロンやプレス機で熱圧着した上に配線部１０３ａ、１０３ｂを置き、更にその上から配線部１０３ａ、１０３ｂを挟むようにホットメルト接着剤を付与した防水性の電気的絶縁性部材１０５をアイロンやプレス機で熱圧着を行い、配線部１０３ａ、１０３ｂを肌側と生地側の防水性電気的絶縁フィルムで被覆することがより好ましい。
【００３３】
図３は、図１の生体信号検出衣料１００のアンダーベルト１１４のＸ−Ｘ’線での断面図である（図２の生体信号検出衣料２００のＸ−Ｘ’線での断面図も同様となる）。図３に示す配線部１０３ａ、１０３ｂは、導電性繊維を帯状に製織することにより作製する。アンダーベルト１１４の裏面にホットメルト接着剤を付与した防水性の電気的絶縁性部材１０５をアイロンやプレス機で熱圧着した上に、作製した配線部１０３ａ、１０３ｂを置き、更にその上から配線部１０３ａ、１０３ｂを挟むようにホットメルト接着剤を付与した防水性の電気的絶縁性部材１０５をアイロンやプレス機で熱圧着を行い、配線部１０３ａ、１０３ｂを肌側と生地側の防水性電気的絶縁で被覆することにより形成することができる。
【００３４】
ハーフトップ型生体信号検出衣料１００、ブラジャー型生体信号検出衣料２００において、アンダーベルト１１４の裏面（皮膚に接する面）であって、着用時に左右のアンダーバスト近傍に接する部分に電極１０１ａ、１０１ｂがそれぞれ配置されている。
【００３５】
２つの電極１０１ａ、１０１ｂを、アンダーベルト１１４の裏面の左右のアンダーバスト近傍にそれぞれ配置したため、バストまたはチェストの高さによる影響を受けることなく電極１０１ａ、１０１ｂを、身体１に安定して接触させることができ、長期間の連続的な生体信号の測定が可能となる。また、測定装置１０６と電極１０１ａ、１０１ｂとが、アンダーベルト１１４に直接配置された配線部１０３ａ、１０３ｂにて導通接続される。配線部１０３ａ、１０３ｂがアンダーベルト１１４と一体化されているため、着用者に不快感を与えず、配線部１０３ａ、１０３ｂの動きによる生体信号測定時のノイズも防止することができる。
【００３６】
ハーフトップ型生体信号検出衣料１００、ブラジャー型生体信号検出衣料２００は、下着の内側に着用しても良いし、外側に重ねて着用しても良い。特に、Ｔシャツやカップ付きインナーを着用する場合は、Ｔシャツやカップ付きインナーの内側に着用し、ブラジャーを着用する場合は、ブラジャーの外側に着用することが好ましい。ブラジャーの上から重ねて着用した際に、安定的に生体信号を検出するためには、図４に示すように、アンダーベルト１１４がブラジャー３に重ならず、かつ腹部側に位置することが好ましい。図４は、本発明の実施の形態１にかかるハーフトップ型生体信号検出衣料１００をブラジャー３の上から着用した際の模式図である。
【００３７】
電極１０１ａ、１０１ｂにより安定的に生体信号を検出するためには、図５に示すように、生体信号検出衣料１００、２００の肩部のネックポイントＡまたはストラップの頂点Ｂからアンダーベルト１１４の上部までの長さが２０．０ｃｍ以上、３５．０ｃｍ以下の長さであることが好ましい。図５（ａ）は、本発明の実施の形態１にかかるハーフトップ型生体信号検出衣料１００のネックポイントＡからアンダーベルト１１４上部までの長さ５００Ａの測定部位を示した模式図であり、図５（ｂ）は、本発明の実施の形態２にかかるブラジャー型生体信号検出衣料２００のストラップの頂点Ｂからアンダーベルト１１４上部までの長さ５００Ｂの測定部位を示した模式図である。生体信号検出衣料１００、２００の肩部のネックポイントＡまたはストラップの頂点Ｂからアンダーベルト上部までの長さが２０．０ｃｍ未満になると、アンダーバスト１１４の位置がバストまたはチェストに近くなることからバストまたはチェストの高さによる影響を受けやすくなり、電極が身体から浮いてしまい、生体信号を安定的に検出することが困難になることが懸念される。更に、図４に示すように、ブラジャー３の外側に生体信号検出衣料１００等を着用した場合に、アンダーベルト１１４がブラジャー３の上に重なってしまい、アンダーベルト１１４に接着した電極１０１ａ、１０１ｂが直接肌に触れないため、生体信号を検出することが困難になる。また、肩部のネックポイントＡまたはストラップの頂点Ｂからアンダーベルト１１４上部までの長さが３５．０ｃｍより大きくなると、生体信号検出衣料１００、２００を着用した際に、アンダーベルト１１４の位置が腹部になる可能性が高く、腹部の筋電を検出してしまい、心電を検出する際に、ノイズとなってしまうことが懸念される。なお、ストラップの頂点Ｂとは、アンダーベルト１１４の係止具１３０を止め、アンダーベルト１１４の下辺を揃えた状態で、張力をかけることなく延ばしたときのストラップの肩端部分を表す。
【００３８】
生体信号検出衣料１００、２００において、アンダーベルト１１４の幅ｒ１は電極１０１ａ、１０１ｂのタテの長さｒ２に影響され、アンダーベルト１１４に電極１０１ａ、１０１ｂを接着するためには、電極１０１ａ、１０１ｂのタテの長さｒ２よりもアンダーベルト１１４の幅ｒ１が大きくなくてはならない。具体的には、アンダーベルト１１４の幅ｒ１は、６．０ｃｍ以上であることが好ましい。
【００３９】
本発明の生体信号検出衣料１００、２００は、アンダーベルト１１４に寸法調整可能な係止具１３０が付いていることが好ましい。生体信号検出衣料１００、２００として、生体信号を安定的に検出するためには、着用した際に、電極１０１ａ、１０１ｂが肌に密着していることが必要となる。着用者の体格には個人差があり、各個人の体格に合わせるため、係止具１３０を２つ以上備え付けることが好ましい。この場合の寸法調整可能な係止具とは、フック、面ファスナー、調整管など寸法調整が可能な部材を表す。
【００４０】
本発明のハーフトップ型生体信号検出衣料１００、ブラジャー型生体信号検出衣料２００は、アンダーベルト１１４が２枚重ねられ、上下端が縫い合わされた袋状になっている。表側のアンダーベルト１１４の上部端の一部は、肌側のアンダーベルト１１４および衣料本体部１０４と縫い合わされずに開口部１２４が設けられていることが好ましい。アンダーベルト１１４に取りつけられた電極１０１ａ、１０１ｂが生体信号を読み取り、コネクタ１０２を介して取りつけられた測定装置１０６に生体信号を送電する仕組みとなっているが、開口部１２４がない場合、生体信号検出衣料１００、２００の表面に測定装置１０６が露出した形になり、デザイン性の観点から好ましくなく、更に動作時の振動によりコネクタ１０２から測定装置１０６が外れてしまう恐れがある。開口部１２４を設けることにより測定装置１０６を収納できるポケット部が形成され、測定装置１０６の表面への露出がなくなる。更に、２枚のアンダーベルト１１４からなるポケットにより測定装置１０６が押さえられ、振動による測定装置１０６の外れを抑えることができる。また、測定装置１０６の出し入れが容易となるように開口部１２４の幅は１．０ｃｍ以上、１０．０ｃｍ以下であることが特に好ましい。
【００４１】
コネクタ１０２、測定装置１０６および開口部１２４は、配置場所に制限はなく、電極１０１ａおよび１０１ｂの配置場所の中間や、衣料本体部１０４、２０４の胸部または肩部の左右のいずれかに具備することも可能である。胸部または肩部に測定装置１０６等を設置することで、ユーザの動きによる雑音が混入しにくい、ユーザの日常生活活動への影響が少ない、ユーザが測定装置１０６を容易に着脱できるという効果が得られる。しかしながら、電極１０１ａ、１０１ｂから離れた位置に配置すると配線が長くなり、配線部１０３ａ、１０３ｂに使用しているホットメルト接着剤を付与した防水性の電気的絶縁性部材１０５により伸縮性が損なわれるため、最も配線部１０３ａ、１０３ｂが短くなる電極１０１ａ、１０１ｂの中間に配置することが好ましい。
【００４２】
本発明のハーフトップ型生体信号検出衣料１００、ブラジャー型生体信号検出衣料２００では、ノイズの少ない信号を得るために、アンダーベルト１１４に配置した電極１０１ａ、１０１ｂを身体１に密着させる必要がある。電極１０１ａ、１０１ｂの身体１への着圧が少なくとも、０．１ｋＰａ以上、２．０ｋＰａ以下の圧力で身体１に密着させることが好ましい。２．０ｋＰａより大きい場合、信号は良好に取れるものの、着圧が大きく、着用感が苦しくなり、０．１ｋＰａ以下では動作時に、電極が皮膚から離れ、良好な信号が得られなくなる。より好ましくは、０．１ｋＰａ以上、１．０ｋＰａ以下である。
【００４３】
上記の着圧および着用した際の快適性を実現するためには、衣料本体部１０４、２０４およびアンダーベルト１１４が織編物からなり、該織編物の縦方向あるいは横方向のどちらか一方の伸長率が３０．０％以上、１００．０％以下であることが好ましい。着圧は生地のストレッチ特性と縫製サイズから調整することができるが、３０．０％より小さいとサイズを大きくして前述の着圧の範囲内に収めたとしても動作時の伸びに追従せず、動作性が悪くなる。また、１００．０％より大きくなるとサイズを小さくし、前述の着圧の範囲内に収めても、動作時の伸びに対する強度が低くなり、破れの原因となる可能性がある。
【００４４】
上記の着圧および着用快適性を実現するためには、電極１０１ａ、１０１ｂを取り付ける衣料本体部１０４、２０４およびアンダーベルト１１４が弾性糸と非弾性糸からなる織編物であることが好ましい。弾性糸と非弾性糸からなる織編物は、生地のストレッチ特性に優れており、上記の着圧を実現することができる。
【００４５】
織編物に適用する弾性糸の素材は特に限定されるものではなく、例えばポリウレタン弾性繊維、ポリエーテル・エステル弾性繊維、ポリアミド弾性繊維、ポリオレフィン弾性繊維、もしくは、天然ゴム、合成ゴム、半合成ゴムからなる糸状のいわゆるゴム糸、合成繊維にゴムをデッピングしたり、コーティングした特殊繊維などを使用することができる。耐久性の観点から特にポリウレタン弾性繊維が好適である。
【００４６】
また、織編物に適用する非弾性糸の素材も特に限定されるものではないが、例えばポリエチレンテレフタレート、ポリトリメチレンテレフタレート、ポリブチレンテレフタレートなどのポリエステル系合成繊維、ナイロンなどのポリアミド系合成繊維などを使用することができる。また、非弾性糸の素材として、前述した繊維に酸化チタン等の添加物を含ませたものを使用してもよいし、機能性付与のためにポリマー改質した繊維も使用してもよい。また、非弾性糸の単繊維単位の断面形状も規定されるものではなく、丸形、三角形、八葉形、扁平形、Ｙ形に代表される様々な異形断面糸も使用することができる。さらに、非弾性糸として、粘度が異なるポリマーからなる芯鞘またはサイドバイサイド型の複合糸を使用することもできる。また、これらの原糸に仮撚加工を施した仮撚加工糸を用いても良い。さらには、ポリアクリルニトリル、ポリプロピレンなどの合成繊維、レーヨン、ポリノジック、キュプラなどの再生繊維、アセテート、トリアセテートなどの半合成繊維、綿、麻、羊毛、絹などの天然繊維などを要求特性に合わせて使用すれば良い。このように、非弾性糸としては、用途に応じて最適な素材を適宜選定すれば良い。
【００４７】
弾性糸と非弾性糸を用いる織編物について、織方や編方については特に限定されるものではなく、前述の着圧を実現できれば良い。例えば、織物の場合、芯に弾性糸、鞘に非弾性糸をカバーリングしたカバーリング糸を経糸、緯糸に用いて平織りやツイル組織に製織する方法や、丸編の場合は、該カバーリング糸を天竺組織やスムース組織に編成する方法や、非弾性糸と弾性糸を引き揃えて編成するベア天竺編やベアスムース編などを用いることが出来る。経編の場合は、フロントの筬に非弾性糸、バックの筬に弾性糸を用いたダブルデンビー組織や、ハーフ組織で編成すれば良い。より好ましくは、生地の伸縮性に優れ、運動時にも生地がスムーズに伸縮して着圧の乱れが少なく、インナーなどに好適な、丸編や経編を採用すれば良い。
【００４８】
ハーフトップ型生体信号検出衣料１００、ブラジャー型生体信号検出衣料２００において、アンダーベルト１１４の左右のアンダーバスト近傍にそれぞれ電極１０１ａ、１０１ｂを配置し、電極１０１ａ、１０１ｂのいずれか１つを関電極とし、前記関電極以外の電極１０１ａ、１０１ｂを不関電極（生体基準電位電極）として、前記関電極と前記不関電極との電位差を心電図波形として検出する。なお、図１および図２では２つの電極１０１ａ、１０１ｂを使用する場合について例示しているが、２つ以上であれば、限定されるものではない。
【００４９】
また、本発明の生体信号検出衣料は、図１および図２に示すハーフトップ型生体信号検出衣料１００、ブラジャー型生体信号検出衣料２００に加え、図６に示すような構造であってもよい。図６は、本発明の実施の形態３にかかる胸部ベルト型（ブラジャー型）生体信号検出衣料３００の模式図である。胸部ベルト型（ブラジャー型）生体信号検出衣料３００は、ストラップ３０４ａと、後身頃３０４ｂとを有する衣料本体部３０４と、アンダーベルト１１４をパーツとして具備している衣料である。
【００５０】
実施の形態３の胸部ベルト型（ブラジャー型）生体信号検出衣料３００は、衣料本体部３０４と、衣料本体部３０４の下部に配置されるアンダーベルト１１４と、導電性繊維からなる少なくとも２つ以上の電極１０１ａ、１０１ｂ（図示しない）と、生体信号を検出する測定装置１０６（図示しない）を装着するためのコネクタ１０２（図示しない）と、電極１０１とコネクタ１０２とを導通接続するための配線部１０３ａ、１０３ｂ（図示しない）とを具備する。実施例１および２と同様に、電極１０１ａ、１０１ｂ、コネクタ１０２、および配線部１０３ａ、１０３ｂがアンダーベルト１１４の裏側（身体１に接する側）に設置してある。また、電極１０１ａ、１０１ｂ、コネクタ１０２、配線部１０３ａ、１０３ｂ、衣料本体部３０４、アンダーベルト１１４の構成も実施の形態１および２と同様のものを使用することができる。
【００５１】
アンダーベルト１１４の前中心には、開口部１２４を設けられる。また、アンダーベルト１１４の左右の脇前部には、面ファスナー１３０ａ（オス）が配置され、アンダーベルト１１４の左右脇部に、面ファスナー１３０ｂ（メス）のついた持ち手１３０ｃを取り付けている。面ファスナー１３０ａ、１３０ｂが係止具として機能する。
【００５２】
このように、本発明にかかる生体信号検出衣料１００、２００、３００により、生体信号を衣服の形態で検出することを実現し、日常生活活動を阻害せずに長時間連続的に心電図等の計測が可能となる。
【実施例】
【００５３】
次に、本発明の生体信号検出衣料について、実施例を参照して詳細に説明するが、本発明の生体信号検出衣料はこれらの実施例に限定されるものではない。【００５４】
（１）伸長率
表地および裏地の伸長率は、ＪＩＳ  Ｌ  １０９６（２０１０年版）「織物及び編物の生地試験方法」の伸び率Ｄ法（定荷重法）に準じて測定した。
まず、幅５０ｍｍ×長さ３００ｍｍの試験片を、ウェール方向とコース方向にそれぞれ５枚ずつ採取した。測定には、引張試験機を用い、つかみ間隔を２００ｍｍとし、試験片のたるみや張力を除いて、初荷重２９ｍＮ（３ｇ）をかけて試験片をつかみに固定した。引張速度２００ｍｍ／ｍｉｎで４．９Ｎ（５００ｇ）まで伸ばし、一定荷重を加えたまま１分間保持後のつかみ間隔を測り、次の式により伸長率ＥＰ（％）を求め、５枚のウェール方向及びコース方向についてそれぞれ平均値で表した。
伸び率ＥＰ（％）＝｛（Ｌ１−Ｌ）／Ｌ｝×１００
Ｌ：元のつかみ間隔の長さ（ｍｍ）
Ｌ１：１分間放置後の印間の長さ（ｍｍ）【００５５】
（２）伸長回復率
また、伸長回復率は同じくＪＩＳ  Ｌ  １０９６（２０１０年版）「織物及び編物の生地試験方法」のＥ法（定荷重法）に従って測定した。
まず、幅５０ｍｍ×長さ３００ｍｍの試験片を、ウェール方向とコース方向にそれぞれ５枚ずつ採取した。測定には、引張試験機を用い、つかみ間隔を２００ｍｍとし、試験片のたるみや張力を除いて、初荷重２９ｍＮ（３ｇ）をかけて試験片をつかみに固定した。引張速度２００ｍｍ／ｍｉｎで４．９Ｎ（５００ｇ）まで伸ばし、一定荷重を加えたまま１分間保持後、直ちに荷重を除き、更に３分間放置する。この操作を繰り返した後、初荷重の下で再びつかみ間隔の長さ（ｍｍ）を測る。
次の式によって伸長回復率Ｅｅ（％）を求め、５枚のウェール方向及びコース方向それぞれについて平均値で表した。  
伸長回復率Ｅｅ（％）＝｛（Ｌ０−Ｌ１）／（Ｌ０−Ｌ）｝×１００
Ｌ：元の印間の長さ（ｍｍ）
Ｌ０：１分間放置後の印間の長さ（ｍｍ）
Ｌ１：荷重を取り除いた後、３分間放置後に初荷重を加えたときのつかみ間隔の長さ（ｍｍ）【００５６】
（３）アンダーベルト幅
実施例および比較例で得られた衣料のアンダーベルトの幅を測定した。【００５７】
（４）ネックポイントまたはストラップの頂点からアンダーベルト上部までの長さ
図５および図６に示すように、実施例および比較例で得られた生体信号検出衣料のネックポイントＡからアンダーベルト１１４上部までの長さ（アンダーベルト１１４に対する垂線の長さ５００Ａ）、またはストラップの頂点Ｂからアンダーベルト１１４上部までの長さ（アンダーベルト１１４に対する垂線の長さ５００Ｂ）を測定した。測定の際は、平らな台上で、衣料、生地に張力をかけない状態で測定を行った。【００５８】
（５）衣服圧
（株）エイエムアイ・テクノ製の接触圧測定器のエアパックセンサーを着用者の脇下、右側第５肋骨付近（アンダーベルト位置）の合計２箇所に貼り付ける。その上に生体信号検出衣料を着用して立位状態で静止して１０秒、前屈状態で静止して１０秒の衣服圧を計測し、３回の衣服圧計測結果の平均値を求めた。【００５９】
（６）データ採取性、着用快適性、易着脱性
実施例および比較例で得られた生体信号検出衣料をモニター５名に着用させ、生体信号のデータ採取性（生体信号検出精度）、着用快適性、易着脱性を５段階評価し、その平均値をとった。その評価基準を表１に示す。
生体信号のデータ採取性とは、静止状態１０秒間、腕振り１０回、左右腰ひねり１０回、前屈１０回をした際に、実施例および比較例の生体信号検出衣料から得られる生体信号（心電波形）中へのノイズの有無の評価項目であり、生体信号（心電波形）にノイズが入らない場合は、データ採取性が良く、ノイズが入る場合はデータ採取性が悪いという判断をした。【００６０】
【表１】
2018047814.tif 000003
【００６１】
実施例１
実施例１では、図１に示すハーフトップ型の生体信号検出衣料１００を縫製により作製した。衣料本体部１０４およびアンダーベルト１１４の身生地として、ポリエチレンテレフタレートからなる５６Ｔ−２２Ｆのポリエステル繊維とポリウレタン繊維を用いて、丸編物を製編した。また、電極１０１は、上記の丸編物に、水とエタノールの混合溶媒（水４４ｗｔ％、エタノール５０ｗｔ％）に、導電性高分子としてＰＥＤＯＴ／ＰＳＳを１．０ｗｔ％、バインダーとしてアクリル系熱硬化性樹脂を５．０ｗｔ％を分散した分散液を、既知のグラビアコーティング法で薬剤塗布量が１５ｇ／ｍ２になるように塗布して作製した。さらに、ナイロン繊維を銀糸でカバーリングした糸を用いて幅１．５ｃｍ、長さ５．０ｃｍの帯状に製織した配線部１０３、ホットメルト接着剤を付与した防水性の電気的絶縁フィルムを電気的絶縁性部材１０５として使用し、以下に示す仕様で生体信号検出衣料１００を作製した。なお、コネクタ１０２として、ＹＫＫ（株）製の衣料用金属製ドットボタンを使用した。
衣料本体部１０４は、前身頃１０４ａのネックポイントＡからアンダーベルト１１４上部までの長さ（５００Ａ）を２４ｃｍにし、前身頃１０４ａと左右後身頃１０４ｂの下辺には長さ６５ｃｍ、幅８ｃｍの２枚のアンダーベルト１１４を縫着し、袋状とした。前身頃１０４ａの前中心とアンダーベルト１１４の縫合部は、アンダーベルト１１４の１枚を前身頃１０４ａに縫合せず、開口部１２４を設けた。また、アンダーベルト１１４の後中心の左右には、係止具１３０を備え付けた。電極１０１ａおよび１０１ｂと、配線部１０３ａおよび１０３ｂとコネクタ１０２はアンダーベルト１１４の裏面側（肌に接する側）上に接着された電気的絶縁性部材１０５に接着させ、配線部１０３ａおよび１０３ｂ上をさらに電気的絶縁性部材１０５で被覆した。電極１０１ａおよび１０１ｂの配置場所は、アンダーベルト１１４の前中心から５．０ｃｍ左右に離れた位置とした。心電図測定装置である測定装置１０６は、左側に配置された電極１０１ｂを正の関電極（陽極）とし、右側に配置された電極１０１ａを負の関電極（陰極）としてコネクタ１０２に接続し、心電図波形を取得することにより心電図波形を検出することができた。【００６２】
実施例２
生体信号検出衣料のパターン以外は実施例１と同様の方法・手順で作製した。実施例２では、衣服形状としては図２に示すブラジャー型の生体信号検出衣料２００を縫製により作製した。ストラップの頂点Ｂからアンダーベルト１１４上部までの長さ（５００Ｂ）を２４ｃｍにし、前身頃２０４ａの下辺には長さ６５ｃｍ、幅８ｃｍの２枚のアンダーベルト１１４を縫着し、袋状とした。前身頃２０４ａの左右の肩部からアンダーベルト１１４の左右背面部まではストラップ２０４ｂを用いて連結させた。前身頃２０４ａの前中心とアンダーベルト１１４の縫合部では、アンダーベルト１１４の１枚を縫合せず、開口部１２４を設けた。また、アンダーベルト１１４の後中心の左右には、係止具１３０を備え付けた。電極１０１ａおよび１０１ｂと、配線部１０３ａおよび１０３ｂとコネクタ１０２はアンダーベルト１１４の裏面側（肌に接する側）上に接着された電気的絶縁性部材１０５に接着させ、配線部１０３ａおよび１０３ｂ上をさらに電気的絶縁性部材１０５で被覆した。電極１０１ａおよび１０１ｂの配置場所は、アンダーベルト１１４の前中心から５．０ｃｍ左右に離れた位置とした。心電図測定装置である測定装置１０６は、左側に配置された電極１０１ｂを正の関電極（陽極）とし、右側に配置された電極１０１ａを負の関電極（陰極）としてコネクタ１０２に接続し、心電図波形を取得することにより心電図波形を検出することができた。【００６３】
実施例３
実施例３では、図６に示す肩紐付き胸部ベルト型（ブラジャー型）の生体信号検出衣料３００を縫製により作製した。アンダーベルト１１４および衣料本体部３０４の身生地に、ポリエチレンテレフタレートからなる５６Ｔ−２２Ｆのポリエステル繊維とポリウレタン繊維を用いて、丸編物を製編した。また、電極１０１は、上記の丸編物に、水とエタノールの混合溶媒（水４４ｗｔ％、エタノール５０ｗｔ％）に、導電性高分子としてＰＥＤＯＴ／ＰＳＳを１．０ｗｔ％、バインダーとしてアクリル系熱硬化性樹脂を５．０ｗｔ％を分散した分散液を、既知のグラビアコーティング法で薬剤塗布量が１５ｇ／ｍ２になるように塗布して作製した。さらに、ナイロン繊維を銀糸でカバーリングした糸を用いて幅１．５ｃｍ、長さ５．０ｃｍの帯状に製織した配線１０３、ホットメルト接着剤を付与した防水性の電気的絶縁フィルムを電気的絶縁性部材１０５（図示しない）として使用し、以下に示す仕様で生体信号検出衣料３００を作製した。なお、コネクタとして、ＹＫＫ（株）製の衣料用金属製ドットボタンを使用した。
実施例３で作製した生体信号検出衣料３００は、ストラップ３０４ａの頂点Ｂからアンダーベルト１１４上部までの長さ（５００Ｂ）を２４ｃｍとした。長さ６５ｃｍ、幅８ｃｍの２枚のアンダーベルト１１４を縫着し、袋状とした。アンダーベルト１１４の前中心では、アンダーベルト１１４を縫合せず、開口部１２４を設けた。また、アンダーベルト１１４の左右の脇前部には、面ファスナー１３０ａ（オス）を縫い合わせ、アンダーベルト１１４の左右脇部には面ファスナー１３０ｂ（メス）のついた持ち手１３０ｃを挟み込み、胸囲寸法を調節できるようにした。電極１０１、コネクタ１０２、配線１０３、電気的絶縁性部材１０５は、実施例１および２と同様にして設置した。心電図測定装置である測定装置１０６は、左側に配置された電極１０１ｂを正の関電極（陽極）とし、右側に配置された電極１０１ａを負の関電極（陰極）としてコネクタ１０２に接続し、心電図波形を取得することにより心電図波形を検出することができた。【００６４】
比較例１
ポリウレタン繊維をナイロン繊維でカバーリングした糸を用いて、幅６．０ｃｍの平ゴムを長さ６５ｃｍのベルトをにし、作製したベルトに実施例１と同様にして作成した電極１０１ａおよび１０１ｂ、コネクタ１０２、配線部１０３ａおよび１０３ｂを取り付けた生体信号検出用ベルトを作製した。【００６５】
比較例２
電極１０１ａおよび１０１ｂの位置をアンダーベルト１１４でなく、前身頃１０４ａの左右胸部下に配置する以外は実施例１と同様に生体信号検出衣料を作製した。【００６６】
比較例３
前身頃１０４ａおよび左右後身頃１０４ｂのパターンを変更し、前身頃１０４ａのネックポイントＡからアンダーベルト１１４上部までの長さ（５００Ａ）が１８ｃｍとなる以外は実施例１と同様に生体信号検出衣料を作製した。【００６７】
比較例４
前身頃１０４ａおよび左右後身頃１０４ｂのパターンを変更し、前身頃１０４ａのネックポイントＡからアンダーベルト１１４上部までの長さ（５００Ａ）が４０ｃｍとなる以外は実施例１と同様に生体信号検出衣料を作製した。【００６８】
比較例５
衣服のパターン・構成をＴシャツに変更し、電極１０１ａ、１０１ｂの位置を左右胸窩下に配置する以外は実施例１と同様に生体信号検出衣料を作製した。【００６９】
実施例１〜３および比較例１〜５の衣服形状、混率、ウェールおよびコースの伸長率（％）、ウェールおよびコースの伸長回復率（％）を表２にまとめた。【００７０】
【表２】
2018047814.tif 000004
【００７１】
実施例１〜３および比較例１〜５のアンダーベルト幅（ｃｍ）、ネックポイントＡまたはストラップの頂点Ｂからアンダーベルトまでの高さ（ｃｍ）、立位および前屈での衣服圧（脇下）（ｋＰａ）、立位および前屈での衣服圧（第５肋骨付近）（ｋＰａ）を表３にまとめた。【００７２】
【表３】
2018047814.tif 000005
【００７３】
実施例１〜３および比較例１〜５の生体信号のデータ採取性（生体信号検出精度）、着用快適性、易着脱性を表４にまとめた。【００７４】
【表４】
2018047814.tif 000006
【００７５】
表４から明らかなように、本発明の生体信号検出衣料の範囲内にある実施例１〜３は生体信号検出精度および着用快適性が優れているのに対して、本発明の生体信号検出衣料の範囲外の比較例１〜５では、比較例１は着用快適性が劣り、比較例２〜４は生体信号検出精度が劣り、比較例５は易着脱性が劣ることが明らかとなった。
【符号の説明】
【００７６】
１  身体
３  ブラジャー
１００  ハーフトップ型生体信号検出衣料
１０１ａ、１０１ｂ  電極
１０２  コネクタ
１０３ａ、１０３ｂ  配線部
１０４、２０４、３０４  衣料本体部
１０５  電気的絶縁性部材
１０６  測定装置
１１４  アンダーベルト
１２４  開口部
１３０  係止具
２００  ブラジャー型生体信号検出衣料
３００  胸部ベルト型（ブラジャー型）生体信号検出衣料
５００Ａ  ネックポイントＡからアンダーベルト上部までの長さ
５００Ｂ  ストラップの頂点Ｂからアンダーベルト上部までの長さ
Ａ  ネックポイント
Ｂ  ストラップの頂点
【図１】
2018047814.tif 000007
【図２】
2018047814.tif 000008
【図３】
2018047814.tif 000009
【図４】
2018047814.tif 000010
【図５】
2018047814.tif 000011
【図６】
2018047814.tif 000012
【国際調査報告】
2018047814.tif 000013
2018047814.tif 000014
2018047814.tif 000015
2018047814.tif 000016